(57)【要約】【課題】デジタルカメラ等で撮影されたカラー画像データを変換や圧縮等をすることなく簡単に低コストで送受信可能なカラー画像通信装置を提供する。【解決手段】画像データを送信する場合、ダイヤルし（ＳＴ１）、相手（被呼先）から応答が有るか判定し（ＳＴ２）、応答が有ると、被呼先から信号を受信し（ＳＴ３）、受信信号がＤＩＳ信号か判定する（ＳＴ４）。ＤＩＳ信号であると、送信する原稿（画像）がカラー画像データで、ｓＹＣＣ−ＪＰＥＧか判定し（ＳＴ５、ＳＴ６）、ｓＹＣＣなら、ＤＣＳ信号の原稿サイズ情報は何もセットしないで送信する（ＳＴ７）。原稿がＣＩＥＬＡＢであるときは、従来通りの通信手順で送信する（ＳＴ１１）。【選択図】　　　図２
2004140781.tif 000002
【特許請求の範囲】
【請求項１】
少なくともｓＹＣＣ−ＪＰＥＧ色空間の画像データを受信し処理するｓＹＣＣ−ＪＰＥＧ対応可能なカラー画像通信装置であって、
受信したカラー画像データがｓＹＣＣ−ＪＰＥＧ色空間の画像データである場合は、ファクシミリ通信手順のサイズ情報にかかわらず、そのｓＹＣＣ−ＪＰＥＧ色空間の画像データに添付された機能情報を優先し、当該ｓＹＣＣ−ＪＰＥＧ色空間の画像データを処理することを特徴とするカラー画像通信装置。
【請求項２】
ｓＹＣＣ−ＪＰＥＧ色空間の画像データを送信するｓＹＣＣ−ＪＰＥＧ対応可能なカラー画像通信装置であって、
送信するカラー画像データがｓＹＣＣ−ＪＰＥＧ色空間の画像データである場合は、当該ｓＹＣＣ−ＪＰＥＧ色空間の画像データを当該画像データに係る機能情報を添付して送信することを特徴とするカラー画像通信装置。
【請求項３】
前記送信するカラー画像データが、ｓＹＣＣ−ＪＰＥＧ色空間の画像データである場合に、デジタル命令信号ＤＣＳに何もセットしないで送信することを特徴とする請求項２記載のカラー画像通信装置。
【発明の詳細な説明】
【０００１】
【発明の属する技術分野】
この発明は、ファクシミリ装置、コピー装置、それらの複合機等に使用されるカラー画像通信装置に関する。
【０００２】
【従来の技術】
近年、カラー読み取り装置を備え、読み取ったカラー画像も電話回線を介して伝送するカラーファクシミリ装置が開発されている。この種のカラーファクシミリ装置の画像伝送は、ＩＴＵ−Ｔ勧告Ｔ．８１に従って行われるものであり、所定サイズのカラー画像データしか伝送できない。このため、デジタルカメラによって撮影した画像データは、ファックス伝送できない。つまり、デジタルカメラ等のデータファイルは、データサイズの指定が純粋な画素数（縦×横ドット数）となっており、従来からファクシミリで扱っているような記録サイズと解像度から算出される画素数となっていないので伝送できない。
【０００３】
これは、デジタルカメラによって撮影した画像データが通常はｓ（スタンダード）ＹＣＣ色空間のＪＰＥＧ画像データ（以下、ｓＹＣＣ−ＪＰＥＧ画像データという）で表現されているのに対し、Ｔ．８１ではカラー画像データをＣＩＥ（国際照明委員会）表色系のＬＡＢ色空間のＪＰＥＧ画像データ（以下、ＣＩＥＬＡＢ−ＪＰＥＧ画像データという）で伝送することが規程されているからである。
【０００４】
そこで、特にデジタルカメラで撮影した画像等の既存の高画質カラー画像データを、電話回線を介して送信先装置に転送できるように、送信先又は送信元装置が持つプリンタの機能情報（解像度、出力色数）を取得し、取得したプリンタの解像度や出力色数が自機のそれよりも低いときは、低い解像度や出力色数に合わせて画像電送データを生成する技術が提案されている（例えば、特許文献１参照）。
【０００５】
また、デジタルカメラ等で用いられているような記録メディアのスロットをファクシミリ装置に装備し、デジタルカメラ等で撮影して得たＹＣＣ−ＪＰＥＧ画像データを記録メディアから一旦メモリに読み出し、これをファクシミリ装置のメモリにＲＧＢ画像データとして展開した後、画像データの横幅が所定画素数になるように白画素を追加してから、再度ＬＡＢ−ＪＰＥＧ画像データに圧縮し、順次Ｔ．８１に従って送信する技術が提案されている（例えば、特許文献２参照）。
【０００６】
更に、パソコンで扱うカラー情報やデジタルカメラで扱うカラー情報を通信する場合に、バイナリファイルトランスファーモードによりカラー情報を送信する機能と、ＩＴＵ−Ｔ勧告Ｔ．８１に基づいてファクシミリ通信を実行する機能とを備え、受信機がバイナリファイルトランスファーモードの受信機能を有していないときは、カラー情報をＴ．８１に基づいたファクシミリ情報に変換して送信し、受信機がバイナリファイルトランスファーモードの受信機能を有しているときは、カラー情報をバイナリファイルトランスファーモードによって送信する技術が提案されている（例えば、特許文献３参照）。
【０００７】
【特許文献１】
特開２０００−３３２９３３
【０００８】
【特許文献２】
特開２００１−２８５６４７
【０００９】
【特許文献３】
特開２００２−２０４３６１
【００１０】
【発明が解決しようとする課題】
しかしながら、上記特許文献１記載の技術では、送信先又は送信元装置のプリンタが持つ機能情報に合わせて画像電送データを生成しているので、その生成手段のための構成が複雑になるだけでなく、コストも掛かる上に、送信先又は送信元装置のプリンタの解像度や出力色数が自機のそれよりも低いときは、低い解像度や出力色数に合わせて画像電送データを生成するため、デジタルカメラで撮影した画像データをそのまま電送することは想定していない。
【００１１】
上記特許文献２記載の技術でも、デジタルカメラ等の画像データをそのままファクシミリ装置から送信するのではなく、記録メディア（スマートメディア等）を装置のスロットに差し込み、ＹＣＣ−ＪＰＥＧ画像データをＲＧＢ画像データに変換し、白画素を追加し、更にＬＡＢ−ＪＰＥＧ画像データに圧縮してから送信しており、複雑でコストが掛かる。
【００１２】
上記特許文献３記載の技術では、受信機がバイナリファイルトランスファーモードの受信機能を有していないときは、カラー情報をＴ．８１に基づいたファクシミリ情報に変換して送信するので、これもデジタルカメラ等の画像データをそのまま送信するのではなく、やはり画像変換のため複雑でコストも高くなる。
【００１３】
この発明は、そのような問題に着目してなされたものであって、デジタルカメラ等で撮影されたカラー画像データを変換や圧縮等をすることなく簡単に低コストで送受信可能なカラー画像通信装置を提供することを目的としている。
【００１４】
【課題を解決するための手段】
前記目的を達成するために、この発明の請求項１記載のカラー画像通信装置は、少なくともｓＹＣＣ−ＪＰＥＧ色空間の画像データを受信し処理するｓＹＣＣ−ＪＰＥＧ対応可能なものであって、受信したカラー画像データがｓＹＣＣ−ＪＰＥＧ色空間の画像データである場合は、ファクシミリ通信手順のサイズ情報にかかわらず、そのｓＹＣＣ−ＪＰＥＧ色空間の画像データに添付された機能情報を優先し、当該ｓＹＣＣ−ＪＰＥＧ色空間の画像データを処理することを特徴とする。
【００１５】
この装置では、ｓＹＣＣ−ＪＰＥＧ色空間の画像データを受信した場合、ファクシミリ通信手順のサイズ情報にかかわらず、そのｓＹＣＣ−ＪＰＥＧ色空間の画像データに添付された機能情報（デジタルカメラの画像である旨の情報）を優先し、当該ｓＹＣＣ−ＪＰＥＧ色空間の画像データを処理（例えばメモリへ記憶）する。つまり、ｓＹＣＣ−ＪＰＥＧ色空間の画像データは、取り敢えずそのまま受信する。
【００１６】
また、請求項２記載のカラー画像通信装置は、ｓＹＣＣ−ＪＰＥＧ色空間の画像データを送信するｓＹＣＣ−ＪＰＥＧ対応可能なものであって、送信するカラー画像データがｓＹＣＣ−ＪＰＥＧ色空間の画像データである場合は、当該ｓＹＣＣ−ＪＰＥＧ色空間の画像データを当該画像データに係る機能情報を添付して送信することを特徴とする。
【００１７】
また、請求項３に記載のカラー画像装置は、請求項２に係る装置において、前記送信するカラー画像データが、ｓＹＣＣ−ＪＰＥＧ色空間の画像データである場合に、デジタル命令信号ＤＣＳに何もセットしないで送信するようにしても良い。
【００１８】
この装置では、ｓＹＣＣ−ＪＰＥＧ色空間の画像データを送信する場合、当該画像データに係る機能情報（デジタルカメラの画像である旨の情報）を添付して送信する。つまり、ｓＹＣＣ−ＪＰＥＧ色空間の画像データは、その機能情報を付けてそのまま送信する。
【００１９】
請求項１，２記載の装置によれば、デジタルカメラ等で撮影されたカラー画像データをそのまま送受信するので、従来技術のような変換や圧縮等をする場合に比べて、構成が簡素で済み、ｓＹＣＣ−ＪＰＥＧ色空間の画像データを簡単に低コストで送受信することができる。
【００２０】
請求項３に記載の装置によれば、ファクシミリ通信手順でデジカメの画像を容易に送信することができる。
【００２１】
【発明の実施の形態】
以下、実施の形態により、この発明を更に詳細に説明する。
【００２２】
その実施形態に係るカラー画像通信装置の構成の一例を示すブロック図を図１に示す。このカラー画像通信装置は、コピー装置とファクシミリ装置を兼用する複合機として構成したものである。
【００２３】
図１において、主制御部としてのＣＰＵ（中央処理装置）１は、当該装置を構成する各部を統括制御する機能を有する。
【００２４】
このＣＰＵ１には、ＮＣＵ（網制御回路：Ｎｅｔｗｏｒｋ　Ｃｏｎｔｒｏｌ　Ｕｎｉｔ）２、ＭＯＤＥＭ３、ＲＯＭ４、ＲＡＭ５、画像メモリ６、表示部７、操作部８、画像読み取り部９、画像記録部１０、ＣＯＤＥＣ（符号化・復号器：Ｃｏｄｅｒ　ａｎｄ　Ｄｅｃｏｄｅｒ　）１１、ＬＡＮ　Ｉ／Ｆ１２がバス１３を介して接続されている。
【００２５】
ＮＣＵ２は、ＣＰＵ１により制御されて、通信回線である電話回線網（ＰＳＴＮ）１４との接続を制御するとともに、通信相手の電話番号（ＦＡＸ番号を含む）に応じたダイヤルパルスを送出する機能及び着信を検出する機能を有する。ＭＯＤＥＭ３は、ＩＴＵ（国際電気通信連合）−Ｔ勧告Ｔ．３０、Ｔ．４に従ったファクシミリ伝送制御手順に基づいて、Ｖ．１７、Ｖ．２７ｔｅｒ、Ｖ．２９等に従った送信データの変調及び受信データの復調を行うが、Ｖ．８、Ｖ．３４を用いたＶ．３４ＦＡＸにも適用可能である。具体的には本来はデジタル信号である送信データをアナログの音声信号に変調してＮＣＵ２を介して電話回線網１４に送出し、また逆に電話回線網１４からＮＣＵ２を介して受信したアナログの音声信号をデジタル信号に復調する。
【００２６】
ＲＯＭ４は、この装置全体の動作を制御するためのプログラム等を記憶する。ＲＡＭ５は、ＣＰＵ１による制御に必要なデータ及び制御動作時に一時記憶が必要なデータ等を記憶する。画像メモリ６は、画像読み取り部９で読み取った画像データを圧縮状態で記憶し、また外部から電話回線網１４とＭＯＤＥＭ３を介して受信した画像データも圧縮状態で記憶する。
【００２７】
表示部７は、アイコン、キーボタンの表示や、データの送受信に必要なメッセージ内容、操作部８の操作により入力された電話番号やＦＡＸ番号等を表示する。この表示部７としては、ＣＲＴディスプレイやＬＣＤ（液晶表示装置）が用いられる。操作部８は、電話番号やＦＡＸ番号を入力するためのテンキー、相手先の電話番号やＦＡＸ番号をワンタッチで呼び出すワンタッチキー、相手先の電話番号やＦＡＸ番号を短縮登録する登録キー、ＦＡＸやコピーの開始等を指示するスタートキー、ＦＡＸモード・コピーモード・スキャナモード等の複数の動作モードについてのモード切替えを行うための動作モード切替キー等を有する。
【００２８】
画像読み取り部９は、ＦＡＸ送信するとき又はコピーするときに、原稿の画像データを光学的に走査して読み取る。この画像読み取り部９は、カラー画像の読み取りも可能である。画像記録部１０は、電子写真方式のプリンタよりなり、受信画像データやコピー動作において画像読み取り部９で読み取った原稿の画像データを記録紙上に記録する。この画像記録部１０は、カラープリントも可能である。
【００２９】
ＣＯＤＥＣ１１は、読み取った画像データを送信又は記憶するためにＭＨ、ＭＲ、ＭＭＲ方式等により符号化（エンコード）し、受信画像データを画像記録部１０により記録するために復号（デコード）する。ＬＡＮ　Ｉ／Ｆ１２は、ＰＣ（パーソナルコンピュータ）、その他のＬＡＮ（ローカルエリアネットワーク）１５を構成する外部機器と接続され、ここを介して外部機器とのデータ授受を行う。
【００３０】
次に、このカラー画像通信装置におけるカラー画像データの送信動作について、図２のフロー図を参照して説明する。まず、ステップＳＴ１において、相手（被呼先）のＦＡＸ番号にダイヤルする。次いで、ステップＳＴ２において、被呼先の装置から応答が有るか判定し、無い場合は、ステップＳＴ８において、予め設定したＴ０時間が経過したか判定する。Ｔ０時間が経過すれば、ステップＳＴ１０において、リダイヤル処理をする。つまり、ステップＳＴ１に戻る。Ｔ０時間が経過しないときは、ステップＳＴ９において、呼び出し信号（ＣＮＧ：Ｃａｌｌｉｎｇ　Ｔｏｎｅ）を送出した後、ステップＳＴ２に戻る。
【００３１】
ステップＳＴ２において、被呼先の装置から応答が有る場合は、ステップＳＴ３において、相手からの信号を受信する。そして、ステップＳＴ４において、受信信号がデジタル識別信号（ＤＩＳ：Ｄｉｇｉｔａｌ　Ｉｄｅｎｔｉｆｉｃａｔｉｏｎ　Ｓｉｇｎａｌ　）であるか判定し、ＤＩＳ信号でないときは、ステップＳＴ２に戻る。
【００３２】
ＤＩＳ信号であるときは、ステップＳＴ５において、今から送信する原稿（画像）がカラー画像データであるか判定し、カラー画像データであるときは、ステップＳＴ６において、更にそのカラー画像データはＣＩＥＬＡＢ−ＪＰＥＧ画像データなのか、それともｓＹＣＣ−ＪＰＥＧ画像データなのか判定する。ｓＹＣＣ−ＪＰＥＧ画像データである場合は、ステップＳＴ７において、デジタル命令信号（ＤＣＳ：Ｄｉｇｉｔａｌ　Ｃｏｍｍａｎｄ　Ｓｉｇｎａｌ）の原稿サイズ情報（主走査幅、副走査線密度、解像度等）は何もセットしないで、当該ｓＹＣＣ−ＪＰＥＧ画像データを送信する。
【００３３】
一方、ステップＳＴ５において、原稿がカラー画像データでないときは、モノクロ画像データであるため、ステップＳＴ１１に移行する。また、ステップＳＴ６において、カラー画像データがＣＩＥＬＡＢ−ＪＰＥＧ画像データであるときは、ＩＴＵ−Ｔ勧告Ｔ．８１に則しているので、ステップＳＴ１１に移行する。ステップＳＴ１１においては、従来どおりのファクシミリ通信手順で送信を行う。
【００３４】
次に、このカラー画像通信装置におけるカラー画像データの受信動作について、図３のフロー図を参照して説明する。まず、ステップＳＴ２１において、発呼先の装置からＣＮＧ信号があると、発呼先の装置に対してＤＩＳ信号を出力する。次いで、ステップＳＴ２２において、発呼先の装置から受信した信号がＤＣＳ信号であるか判定し、ＤＣＳ信号でないときは、ステップＳＴ２１に戻り、再度ＤＩＳ信号を送出する。
【００３５】
受信信号がＤＣＳ信号であるときは、ステップＳＴ２３において、今から受信する原稿（画像）はカラー画像データであるか判定し、カラー画像データであるときは、ステップＳＴ２４において、更にそのカラー画像データはＣＩＥＬＡＢ−ＪＰＥＧ画像データなのか、それともｓＹＣＣ−ＪＰＥＧ画像データなのか判定する。ｓＹＣＣ−ＪＰＥＧ画像データである場合は、ステップＳＴ２５において、ＤＣＳ信号の原稿サイズ情報は無視して、当該ｓＹＣＣ−ＪＰＥＧ画像データを受信する。
【００３６】
一方、ステップＳＴ２３において、原稿がカラー画像データでないときは、モノクロ画像データであるため、ステップＳＴ２６に移行する。また、ステップＳＴ２４において、カラー画像データがＣＩＥＬＡＢ−ＪＰＥＧ画像データであるときは、ＩＴＵ−Ｔ勧告Ｔ．８１に則しているので、ステップＳＴ２６に移行する。ステップＳＴ２６においては、従来どおりのファクシミリ通信手順で受信を行う。
【００３７】
【発明の効果】
以上説明したように、本発明によれば、デジタルカメラ等で撮影されたカラー画像データをそのまま送受信するので、従来技術のような変換や圧縮等をする場合に比べて、構成が簡素で済み、ｓＹＣＣ−ＪＰＥＧ色空間の画像データを簡単に低コストで送受信することができる。特に、ｓＹＣＣ−ＪＰＥＧ色空間の画像データを送信する場合に、デジタル命令信号ＤＣＳに何もセットしないで送信することにより、ファクシミリ通信手順により、デジカメの画像を容易に送信することができる。
【図面の簡単な説明】
【図１】実施形態に係るカラー画像通信装置（コピー装置とファクシミリ装置を兼用する複合機）の構成の一例を示すブロック図である。
【図２】同カラー画像通信装置におけるカラー画像データの送信動作を示すフロー図である。
【図３】同カラー画像通信装置におけるカラー画像データの受信動作を示すフロー図である。
【符号の説明】
１　　　主制御部（ＣＰＵ）
２　　　ＮＣＵ
３　　　ＭＯＤＥＭ
４　　　ＲＯＭ
５　　　ＲＡＭ
６　　　画像メモリ
７　　　表示部
８　　　操作部
９　　　画像読み取り部
１０　　画像記録部
１１　　ＣＯＤＥＣ
１２　　ＬＡＮ　Ｉ／Ｆ
１３　　バス
１４　　電話回線網
１５　　ＬＡＮ
【図１】
2004140781.tif 000003
【図２】
2004140781.tif 000004
【図３】
2004140781.tif 000005